(57)【要約】      （修正有）【課題】発光手段や電力を用いることなく装飾性を高めた表示パネルを提供する。【解決手段】パネル１２の表面に互いに間隔をおいて設けられた複数の突起部１６と、複数の突起部１６に挿入された頭部の径が軸部の径より大きいピン１２と、ピン１２の軸部の径と略同じ幅と頭部より僅かに大きな長さを有する孔が設けられた装飾片１４で表示パネル１０を構成し、ピン１２に掛けられた装飾片１４が風力によって揺らぐようにしている。【選択図】図１
0003155110.tif 000002
【実用新案登録請求の範囲】
【請求項１】
少なくとも一方の面に複数のピンが互いに間隔をおいて設けられたパネルと、前記ピンに掛けるための孔が設けられた複数の装飾片を備え、前記複数のピンに掛けられた前記複数の装飾片によって文字および／または図柄を表示することを特徴とする装飾パネル。
【請求項２】
前記孔が、前記装飾片の重心からずれた位置に、前記装飾片の重心方向に長い形状となるように設けられていることを特徴とする請求項１に記載の装飾パネル。
【請求項３】
前記ピンが、前記パネルの少なくとも一方の面に互いに間隔をおいて設けられた複数の突起部に設けられ、前記突起部が、前記パネルを鉛直に立てたときに縦となる方向に狭く横となる方向に広い先端部を有していることを特徴とする請求項２に記載の装飾パネル。
【考案の詳細な説明】
【技術分野】
【０００１】
本考案は、表示パネルに関し、特に、パネルに装着した複数の装飾片によって文字や図柄を表示する表示パネルに関する。
【背景技術】
【０００２】
従来、文字や図柄などを表示する表示パネルにおいて、より注目を集めるために、人目を惹く華やかな装飾を施す試みがなされている。このような試みの多くは、ネオンや電球、最近ではＬＥＤなどの発光手段を用いてパネルを鮮やかに照らし出したり、文字や図柄そのものを発光させたりすることによって装飾性を高めるというものである（特許文献１乃至４参照）。
【先行技術文献】
【特許文献】
【０００３】
【特許文献１】実用新案登録第３０１５７２１号公報
【特許文献２】実用新案登録第３０１６６８４号公報
【特許文献３】実用新案登録第３０４８３２４号公報
【特許文献４】特開２０００−９８９３８号公報
【考案の概要】
【考案が解決しようとする課題】
【０００４】
しかし、これらのパネルは、ネオンやＬＥＤ等の発光手段の購入に要するイニシャルコストの他に、電気代やメンテナンスに要するランニングコストがかかり、パネル設置者にとって大きな負担になるだけでなく、ＣＯ２削減を希求する現在のエコ社会においては積極的には採用しにくいものである。また、表示内容を変更したくても、発光手段の配置や電気配線の取り回しの関係で構造的に対応できないか、対応できたとしても大変な時間と労力を要する。さらには、発光による装飾効果は周囲が暗くなる時間帯において発揮されるものであって、日中における効果はさほど高いものではない。
【課題を解決するための手段】
【０００５】
これらの課題を解決するために、本考案は、少なくとも一方の面に複数のピンが互いに間隔をおいて設けられたパネルと、前記ピンに掛けるための孔が設けられた複数の装飾片を備え、前記複数のピンに掛けられた前記複数の装飾片によって文字および／または図柄を表示する装飾パネルを提供する。
【０００６】
本発明によれば、ピンに掛けられた複数の装飾片の並びによって様々な文字や図柄を表示することができ、装飾片の並びを変えるだけで表示内容を変更することができる。ピンに掛けられた装飾片が風などに当たって揺らぐことにより、反射光の方向が変わり、装飾片が明るく見えたり暗く見えたりする。個々の装飾片の明暗の変化によって文字や図柄のコントラストが変化し、見る者の目を惹きつける。
【０００７】
装飾片の孔は、装飾片の重心からずれた位置に、装飾片の重心方向に長い形状となるように設けられていることが好ましい。このような孔が設けられることにより、個々の装飾片の揺れ方に一定の法則性が生まれ、その明暗の変化に統一感が与えられる。
【０００８】
ピンは、パネルを鉛直に立てたときに縦となる方向に狭く横となる方向に広い先端部を有する突起部の先端部に設けることが好ましい。このような突起部にピンを設けることにより、個々の装飾片がパネルの前後方向に揺れ動くように誘導することができる。
【考案の効果】
【０００９】
本考案によれば、自然エネルギーである風力を用いて表示パネルの装飾性を高めるようにしているので、経済的であるだけではなく、ＣＯ２排出量の削減に寄与し、ひいては地球温暖化の防止、エコ社会の実現に貢献することができる。また、装飾片の並びを変えるだけで表示内容を変更することができ、変更に伴う廃棄物は一切発生しないので、この点においても経済的であり、環境への負荷も少ない。
【図面の簡単な説明】
【００１０】
【図１】本発明の実施の形態の表示パネルの（ａ）正面図（ｂ）平面図（ｃ）側面図
【図２】本発明の実施の形態の装飾片の斜視図
【図３】図１の３−３切断線における断面図
【図４】図１の４−４切断線における断面図
【図５】本発明の実施の形態の表示パネルで文字を表示した例を示す図
【考案を実施するための形態】
【００１１】
本発明の実施の形態について、図面を参照して説明する。図１において、本発明の実施の形態の装飾パネル１０は、パネル１２と、パネル１２に着脱自在に装着可能な複数の装飾片１４とで構成されている。パネル１２の表面には複数の突起部１６が、パネル１２の縦方向および横方向に整列され、かつ何れの方向においても等間隔になるように配置されている。
【００１２】
パネル１２の大きさに制限はないが、例えば、外寸が縦２１ｃｍ、横３０ｃｍであって、縦方向に７個、横方向に１０個の合計７０個の突起部１６を備えたものを標準のユニットとし、設置スペースや広告内容などに応じてユニットの数や配置を調整できるものであることが好ましい。パネル１２を標準化することで、大量生産による製造コストの引き下げが実現できる。
【００１３】
図３、図４において、突起部１６にはピン１８がパネル１２の表面に対して垂直方向に挿入されている。ピン１８は頭部２０の径が軸部２２の径より大きく、先端が丸みを帯びた丸リベットのような形状である。軸部２２の一部は露出しており、露出した部分に装飾片１４が掛けられている。
【００１４】
図２において、装飾片１４は表面にカラー塗装が施された薄い円板であり、円の中心からずれた位置に孔２４が設けられている。孔２４は円の径方向に長い形状であり、図３、図４に示すように、孔２４の幅Ｂはピン１８の軸部２２の径Ｒ１と略同じか僅かに大きく、長さＬはピン１８の頭部２０の径Ｒ２より大きい。装飾片１４はパネル１２の素材となるＡＢＳなどの硬質プラスチックに比べて曲げ弾性率が小さいポリエチレンなどの軟質プラスチック製であり、変形が容易であるだけではなく、変形による破断などが起こりにくいものになっている。
【００１５】
装飾片１４の孔２４をピン１８の頭部２０に押し付けると、孔２４の周辺が変形し、孔２４の幅が一時的に広がって頭部２０を通すことができる。広がった孔２４は頭部２０を通した後にもとの幅に戻るので、装飾片１４がピン１８から自然に脱落するようなことはまず起こり得ない。
【００１６】
装飾片１４の大きさに制限はないが、縦および横方向に隣り合う装飾片１４が重なり合わないことが望ましい。形状についても特に制限されない。
【００１７】
図３、図４において、突起部１６の先端部２６は横方向から見て尖り、縦方向から見てパネル１２と略平行な直線をなしており、縦方向に狭く横方向に広い形状である。ピン１８は先端部２６の中央に挿入されている。先端部２６は縦方向に狭いため、装飾片１４がピン１８を回転中心としてパネル１２の前後方向に大きく揺れ動いても先端部２６と干渉することはない。従って、装飾片１４はパネル１２の前後方向に大きく揺れ動くことができるようになり、コントラストの変化の幅を大きくすることができる。
【００１８】
図３において、パネル１２の表裏に貫通する孔２８は、装飾パネル１０を壁などに固定するときにねじや釘などを通すためのものである。装飾パネル１０は軽量なので市販の両面テープなどを用いて壁面などに貼り付けることも可能である。
【００１９】
図５は、装飾パネル１０で「ＨＡ−ＲＵ」という文字を表示した例を示している。ここでは３個の装飾パネル１０が横一列に並べられており、黒色の装飾片１４Ａの並びが文字を構成し、白色の装飾片１４Ｂが文字以外の背景部分を構成している。装飾片１４Ａ、１４Ｂは他の色でもよく、明度や彩度も自由である。人物や風景などの複雑な図柄であっても様々な色相、明度、彩度の装飾片１４を用いることで詳細に表示することができる。また、装飾片１４にメタリック塗装やマイカ塗装などを施し、キラキラとした煌きを与えることもできる。
【符号の説明】
【００２０】
１０  表示パネル
１２  パネル
１４  装飾片
１６  突起部
１８  ピン
２４  孔
【図１】
0003155110.tif 000003
【図２】
0003155110.tif 000004
【図３】
0003155110.tif 000005
【図４】
0003155110.tif 000006
【図５】
0003155110.tif 000007